(57)【要約】      （修正有）【課題】飲料容器が滑下することを防止するドリンクホルダーを提供する。【解決手段】保温性を有する素材により形成された飲料容器を収納するホルダー本体と、ホルダー本体外周側面に設けられた取っ手部と、ホルダー本体外周側面に設けられた指挿入部とから構成する。【選択図】図１
0003180939.tif 000002
【実用新案登録請求の範囲】
【請求項１】
保温性を有する素材により形成された飲料容器を収納するホルダー本体と、前記ホル
ダー本体の底部と、前記ホルダー本体の外周側面に設けられた取っ手部と、前記ホルダ
ー本体の外周側面に設けられた指挿入部とから構成したことを特徴とするドリンクホル
ダー。
【請求項２】
指挿入部は、ホルダー本体の外周側面の取っ手部を中心に前記ホルダー本体の外周側
面の左右または前記左右の少なくとも一方に設けたことを特徴とする請求項１記載のド
リンクホルダー。
【請求項３】
ホルダー本体は飲料容器が挿入される飲料容器挿入口側から前記ホルダー本体の底部
へ向かって設けられたファスナーと、ファスナーを開成した時にファスナーの広がりを
防止する広がり防止手段を設けたことを特徴とする請求項１または請求項２記載のドリ
ンクホルダー。
【請求項４】
ファスナーは、飲料容器が挿入される飲料容器挿入口側にリテーナ部を配置したこと
を特徴とする請求項３記載のドリンクホルダー。
【請求項５】
ホルダー本体は飲料容器が挿入される方向に対して直角方向の断面を多角形で構成し
たことを特徴とする請求項１〜４のいずれかに記載のドリンクホルダー。
【請求項６】
ホルダー本体は、前記ホルダー本体の内側に、飲料容器の外周から中心方向に対して
力が作用し前記飲料容器の抜け防止をする容器抜け防止手段を設けたことを特徴とする
請求項１〜５記載のいずれかに記載のドリンクホルダー。
【請求項７】
保温性を有する素材により形成された飲料容器を収納するホルダー本体と、前記ホル
ダー本体の底部と、前記ホルダー本体の前記飲料容器が挿入される飲料容器挿入口側か
ら前記ホルダー本体の底部へ向かって設けられ、飲料コップの取手部が挿入されるス  
リット部と、前記スリット部の広がりを防止する広がり防止手段とからなることを特徴
とするドリンクホルダー。
【請求項８】
ホルダー本体と、前記ホルダー本体の底部と、一端が前記ホルダー本体上部近傍に固
定された帯体と、前記帯体の他端に設けられた第一固定手段と、前記ホルダー本体上部
近傍に固定された帯体の一端に略対向した位置の前記ホルダー本体に設けられ、前記第
一固定手段と係止する第二固定手段とで構成したことを特徴とする請求項１〜７記載の
いずれかに記載のドリンクホルダー。
【請求項９】
底部の外側面は、ホルダー本体の外周側面に比べ摩擦力の大きい素材で構成したこと
を特徴とする請求項１〜８記載のいずれかに記載のドリンクホルダー。
【考案の詳細な説明】
【技術分野】
【０００１】
この考案は容器の中の飲料水の温度保持ができ、手で持った時に落としにくい構造のド
リンクホルダーに関するものである。
【背景技術】
【０００２】
従来のドリンクホルダーはウエット生地を筒形に構成し、この筒状に構成された中に
ドリンク容器を挿入して使用していた。
【０００３】
また他の例としては、側面にベルト挿通スリットが設けられた筒形袋体の中に飲料液入
りのボトルを収納し、この筒形袋体をベルトに共締めして飲料液入りのボトルを持ち運ぶ
タイプのドリンクホルダーがあった。
【先行技術文献】
【特許文献】
【０００４】
【特許文献１】特開２００６−２４８６０８号公報
【特許文献２】実用新案登録  第３０８８８１１号公報
【考案の概要】
【考案が解決しようとする課題】
【０００５】
従来はウエット生地を筒形に構成し、この筒状に構成された中にドリンク容器を挿入し
て使用する物では、例えば冷たい飲み物が入ったドリンク容器の場合、ドリンク容器表面
に付く水滴は直接手に付くことはなく、水滴で飲料容器滑らせて落とすことはなくなるが
、高齢化の老人で握力が低下している場合、ウエット生地を滑らせてドリンク容器と筒形
ウエット生地を落とす可能性があった。
【０００６】
また、側面にベルト挿通スリットが設けられた筒形袋体の中に飲料液入りのボトルを収
納し、この筒形袋体をベルトに共締めして飲料液入りのボトルを持ち運ぶタイプのドリン
クホルダーは、手で持った時に落下を防止する手段は設けられていなかった。
【０００７】
本考案のドリンクホルダーは、ドリンクホルダーを、外気温度や持つ人の体温の変化に
対応できる素材で作製し、飲料液入りの缶、ペットボトル、紙パック飲料容器等の種類や
サイズ（周方向・径方向）に対応したもので、手の四指が挿入できる取っ手部と親指を挿
入するバンドが構成されており、高齢化の老人で握力が低下している場合であっても、ド
リンクホルダーを滑らせて、飲料容器を落とすことを防止したドリンクホルダーを提供す
るものである。
【課題を解決するための手段】
【０００８】
本考案は、保温性を有する素材により形成された飲料容器を収納するホルダー本体と、
ホルダー本体の底部と、ホルダー本体の外周側面に設けられた取っ手部と、ホルダー本体
の外周側面に設けられた指挿入部とから構成したものである。
【０００９】
また本考案の指挿入部は、ホルダー本体の外周側面の取っ手部を中心にホルダー本体の
外周側面の左右または左右の少なくとも一方に設けたものである。
【００１０】
更に、ホルダー本体は飲料容器が挿入される飲料容器挿入口側からホルダー本体の底部
へ向かって設けられたファスナーと、ファスナーを開成した時にファスナーの広がりを防
止する広がり防止手段を設けたものである。
【００１１】
そして、ファスナーは、飲料容器が挿入される飲料容器挿入口側にリテーナ部を配置し
たものである。
【００１２】
更に、ホルダー本体は飲料容器が挿入される方向に対して直角方向の断面を多角形で構
成したものである。
【００１３】
そして、ホルダー本体は、ホルダー本体の内側に、飲料容器の外周から中心方向に対し
て力が作用し前記飲料容器の抜け防止をする容器抜け防止手段を設けたものである。
【００１４】
更に、保温性を有する素材により形成された飲料容器を収納するホルダー本体と、ホル
ダー本体の底部と、ホルダー本体の飲料容器が挿入される飲料容器挿入口側からホルダー
本体の底部へ向かって設けられ、飲料容器の取手部が挿入されるスリット部と、スリット
部の広がりを防止する広がり防止手段を設けたものである。
【００１５】
そして、ホルダー本体と、一端がホルダー本体上部近傍に固定された帯体と、帯体の他
端に設けられた第一固定手段と、ホルダー本体上部近傍に固定された帯体の一端に略対向
した位置のホルダー本体に設けられ、第一固定手段に係止する第二固定手段とで構成した
ものである。
【００１６】
更に、底部の外側面は、ホルダー本体の外周側面に比べ摩擦力の大きい素材で構成した
ものである。
【考案の効果】
【００１７】
本考案によれば、ホルダー本体の外周側面に設けられた取っ手部に人差し指〜小指の四
指を挿入し、親指を指挿入部に挿入することにより、五指でドリンクホルダーを保持する
ことが可能になり、握力が低下した方においても飲料容器を持った時に落下することがな
い。これにより保持力が上がり飲料容器挿入後の容器の蓋開封がしやすくなる。
【００１８】
また本考案は、指挿入部を、ホルダー本体の外周側面の取っ手部を中心に左右または左
右の少なくとも一方の位置に設けることにより、左右の利き腕に合わせて使用することが
できる。
【００１９】
更に、ホルダー本体は飲料容器が挿入される飲料容器挿入口側からホルダー本体の底部
へ向かって設けられたファスナーと、ファスナーを開成した時にファスナーの広がりを防
止する広がり防止手段を設けたことにより、飲料容器の直径が大きい場合にはファスナー
を外した状態で飲料容器を収納した後に、ファスナーの広がり防止手段でファスナーが広
がることを防止すると共に、飲料容器の抜けを防止するため、直径が大きい飲料容器でも
ホルダーに収納することができる。
【００２０】
ファスナーは、飲料容器が挿入される飲料容器挿入口側にリテーナ部を配置したもので
、ファスナーのスライダーを飲料容器挿入口側からホルダー本体の底部へ向かって閉成状
態にしたとき、飲料容器挿入口側は確実に閉成状態になり、ホルダー本体の底部にあるス
ライダーが下から上方向に少し移動しても飲料容器挿入口側はリテーナ部が閉成状態にあ
るため飲料容器を確実に保持することができる。
【００２１】
ホルダー本体の底部の断面を多角形にすることで角容器を挿入しても型崩れがしにくい
ドリンクホルダーを実現することができる。
【００２２】
ホルダー本体は、前記ホルダー本体の内側に、飲料容器の外周から中心方向に対して力
が作用し前記飲料容器の抜け防止をする容器抜け防止手段を設けたことにより、使用中に
容器が落下することがない。
【００２３】
保温性を有する素材により形成された飲料容器を収納するホルダー本体と、ホルダー本
体の底部と、ホルダー本体の飲料容器が挿入される飲料容器挿入口側からホルダー本体の
底部へ向かって設けられ、飲料コップの取手部が挿入されるスリット部と、スリット部の
広がりを防止する広がり防止手段を設けることにより、取っ手のついた飲料コップの外周
を覆うことで保温性の確保と火傷を防ぐことができる。
【００２４】
ホルダー本体と、ホルダー本体の底部と、一端がホルダー本体上部近傍に固定された帯
体と、帯体の他端に設けられた第一固定手段と、ホルダー本体上部近傍に固定された帯体
の一端に略対向した位置のホルダー本体に設けられ、第一固定手段と係止する第二固定手
段を構成したことにより、第一固定手段と第二固定手段を係止することにより、飲料容器
の長さが異なる場合でも飲料容器の飲み口をホルダー本体から突出でき飲みやすくなる。
【００２５】
底部の外側面は、ホルダー本体の外周側面に比べ摩擦力の大きい素材で構成したことに
より、ホルダー本体を机上に置いた時にホルダー本体が滑り落ちることがない。
【図面の簡単な説明】
【００２６】
【図１】本考案の第一実施例を示すドリンクホルダーの斜視図。
【図２】本考案の第二実施例を示すドリンクホルダーの斜視図。
【図３】本考案の第三実施例を示すドリンクホルダーの斜視図。
【図４】本考案の第四実施例を示すドリンクホルダーの斜視図。
【図５】本考案の第五実施例を示すドリンクホルダーの底面図。
【図６】本考案の第六実施例を示すドリンクホルダーの上面図。
【図７】本考案の第七実施例を示すドリンクホルダーの斜視図。
【図８】本考案の第八実施例を示すドリンクホルダーの断面図。
【考案を実施するための形態】
【００２７】
本願考案の実施例について図を用いて説明する、図１において１はドリンクホルダー本
体であり保温性を有する素材であるウエット生地等で略円筒形状に作られており、上部に
は飲料容器が挿入される飲料容器挿入口２が設けられている。ドリンクホルダー本体１の
底面３は閉じた状態にある。底面３の外側面は、ウエット生地やホルダー本体の外周側面
の素材に比べ摩擦力の大きい素材であるゴム系の素材等が用いられる。摩擦力が大きい素
材の場合、ホルダー本体１を机上に置いた場合、滑り落ちることはない。また、底面３の
表面は、凹凸を設けることにより同様の効果を生じるものである。また底面３の種類やホ
ルダー本体の形状によっては、底面３に飲料容器が挿入されたときホルダー本体１空気を
抜く空気抜き孔を設ける場合がある。このホルダー本体１の外周側面４には取っ手部５が
設けられている。この取っ手部５の材質はウエット生地で作られている。取っ手部５と外
周側面４のには隙間６が設けられている。また外周側面４には指挿入部７が設けられてい
る。指挿入部７の材質はウエット生地で作られている。
【００２８】
次に使用方法を説明する。先ず、ドリンクホルダー本体１を左手で持った状態で、右人
差し指〜小指の４本を隙間６に挿入する。次に右親指を指挿入部７に挿入する。このよう
にホルダー本体１を右手で保持した状態で飲料容器（図示せず）を飲料容器挿入口２に挿
入する。この状態で飲料容器内の飲料を飲むものである。
【００２９】
尚、取っ手部５の材質は内部に気泡を含むクロロプレンゴム製のウエット生地に限定さ
れるものではなく、伸縮性のない布生地や樹脂製の取っ手であっても良い。
【００３０】
本願考案のドリンクホルダーは、ウエット生地で構成することにより、軽量で持ち運び
が容易であり、型崩れの心配がない。またウエット生地の色を変えることにより使用する
ときに誤認を防ぐことができる。
【００３１】
図２は指挿入部８、９をホルダー本体１０の外周側面１１に設けられた取っ手部１２を
中心に左右に設けたものであり１３は飲料容器挿入口を示す。
【００３２】
使用方法は図１と同様であるが、利き腕に対応するように考案されたもので、左利きの
場合、先ずドリンクホルダー本体１０を右手で持った状態で、左人差し指〜小指の４本を
外周側面１１と取っ手部１２の隙間（図示せず）に挿入する。次に左親指を指挿入部９に
挿入する。このようにホルダー本体１０を左手で保持した状態で飲料容器（図示せず）を
飲料容器挿入口１２に挿入する。この状態で飲料容器内の飲料を飲むことができる。
【００３３】
図３はホルダー本体１４の飲料容器が挿入される飲料容器挿入口１５側からホルダー本
体１４の底部１６へ向かって設けられたファスナー１７と、ファスナー１７を開成した時
にファスナー１７の広がりを防止する広がり防止手段１８を設けたものである。
【００３４】
この構成により、飲料容器の直径が大きい場合にはファスナー１７を外した状態で飲料
容器を収納した後に、ファスナー１７の広がり防止手段１８でファスナー１７が広がるこ
とを防止すると共に、飲料容器の抜けを防止する。従って、直径が大きい飲料容器でもホ
ルダー本体１４に収納することができる。広がり防止手段１８としては伸縮性素材をホル
ダー本体１４の内側に縫製して設ける方法がある。
【００３５】
ファスナーの種類としては、面ファスナーを用いてもよい。
【００３６】
また図４のファスナー１９は、飲料容器が挿入される飲料容器挿入口２０側にリテーナ
部２１を配置したものである。２２はファスナー１９のスライダーであり、２３はホルダ
ー本体、２４は底部を示す。
【００３７】
この構成により、ファスナー１９のスライダー２２を飲料容器挿入口２０側からホルダ
ー本体２３の底部２４へ向かって閉成状態としたとき、飲料容器挿入口２０側は確実に閉
成状態になり、ホルダー本体２３の底部２４にあるスライダー２２が下から上方向に少し
移動した場合でも飲料容器挿入口２０側は飲料容器を確実に保持することができる。
【００３８】
図５のホルダー本体２５は飲料容器が挿入される方向に対して直角方向の断面を多角形
２６で構成したものである。
【００３９】
この構成により、円筒形状の容器や角形形状の容器を挿入しても型崩れがしにくいドリ
ンクホルダーを実現することができる。
【００４０】
図６は、ホルダー本体２７の内側に飲料容器を挿入した際、飲料容器の外周から中心方
向に対して力が作用し飲料容器の抜け防止をする容器抜け防止手段２８を設けたものであ
る。容器抜け防止手段としては弾力性や伸縮性のあるゴム素材やゴム素材と布を合体した
素材等が用いられる。
【００４１】
従って、使用中に飲料容器が落下することを防止することができる。
【００４２】
図７は、保温性を有する素材により形成された飲料容器を収納するホルダー本体２９と
、ホルダー本体２９の飲料容器が挿入される飲料容器挿入口３０側からホルダー本体２９
の底部３１へ向かって設けられ、飲料コップの取っ手部（図示せず）が挿入される
スリット部３２と、スリット部３２の広がりを防止する広がり防止手段３３とを構成し
たものである。
【００４３】
その結果、飲料コップの取っ手（図示せず）をスリット部３２沿わせてホルダー本体  
２９に挿入し、スリット部３２の広がりを防止する広がり防止手段３３でスリット部３
２の広がりを防ぐことにより、飲料コップの外周が覆われることで保温性の確保と火傷
を防ぐことができる。
【００４４】
図８は、ホルダー本体３４と、一端３５がホルダー本体３４の上部近傍３６に固定さ
れた帯体３７と、帯体３７の他端に設けられた第一固定手段３８と、ホルダー本体上部
近傍３６に固定された帯体３７の一端３５に略対向した位置のホルダー本体３４に設け
られ、第一固定手段３８と係止する第二固定手段３９とで構成したものである。４０は
ホルダー本体３４の外周側面、４１は底部、４２は外周側面４０と底部４１の合わせ部
を示す。図８においては、帯体３７はホルダー本体３４の底部に接触しているが、飲料
容器の高さが低い場合には、帯体３７を底部４１から引出すことで帯体３７がホルダー
本体３４の底部４１から離れた状態で第一固定手段３８と第二固定手段３９を係止する
ものである。また外周側面４０と底部４１の接合は、接着や縫製等が用いられる。
【００４５】
その結果、ホルダー本体３４の帯体３７は底部４１から底上げ状態となり、飲料容器
の長さが低い場合でも飲料容器の飲み口をホルダー本体から突出すことができ飲みや
すくなる。
【００４６】
第一固定手段３８と係止する第二固定手段３９は、面ファスナー等を用いる。面ファ
スナーの場合には、底面の位置を任意に変更することが可能である。
【産業上の利用可能性】
【００４７】
近年の日本は高齢化社会の波により、より多様化した介護と小さい子供の世話をでき
るだけ減らしたい傾向がある。
【００４８】
子供は注意力散漫でお年寄りは握力が無くなり、飲料容器も握力低下と水滴などで落
としてしまいがちになる。
【００４９】
また若者の多人数での集まりでよく催される庭や浜辺、川辺のバーベキューなどは、
飲料水をケースで購入される事が多いため席を離れると自分の飲み物がわからなくなり
困る事が多々ある。
【００５０】
そこで本考案ドリンクホルダーはお年寄りや小さい子供などは落とすことなく飲む事
ができ、多人数での集まりではホルダー本体の色やお好みの印刷などでオリジナルのも
のになるため多人数時の誤飲を防ぐことができる。
【符号の説明】
【００５１】
１、１０、１４、２９、３４        ホルダー本体
２                                飲料容器挿入口
３、１６、３１、４１              底部
４、１１、４０                    外周側面
５、１２                          取っ手
７                                指挿入部
１５、２０、３０                  飲料容器挿入口側
１７                              ファスナー
２１                              リテーナ部
２８                              容器抜け防止手段
３２                              スリット部
３３                              広がり防止手段
３５                              一端
３６                              ホルダー本体上部近傍
３７                              帯体
３８                              第一固定手段
３９                              第二固定手段
【図１】
0003180939.tif 000003
【図２】
0003180939.tif 000004
【図３】
0003180939.tif 000005
【図４】
0003180939.tif 000006
【図５】
0003180939.tif 000007
【図６】
0003180939.tif 000008
【図７】
0003180939.tif 000009
【図８】
0003180939.tif 000010